(57)【要約】【課題】操作性の向上や感度の向上を図ることができ、ピラーの支持構造の簡素化を図る。【解決手段】リール本体１の左右側板２Ａ，２Ｂ間に支持され、ハンドル軸７ａの回転操作に連動して回転する螺軸２１と、螺軸２１により左右側板２Ａ，２Ｂ間に往復動可能に設けられ、スプール５に釣糸を平行に巻回する釣糸案内体２２と、釣糸案内体２２へ釣糸を誘導するためのピラー３０と、を備え、釣糸案内体２２は、左右方向に幅狭に形成され、釣糸巻き取り状態においてスプール５に釣糸を案内する釣糸案内部と、釣糸案内部よりも左右方向に幅広に形成され、釣糸放出状態において釣糸の放出抵抗を軽減する開口部２４とを有しており、ピラー３０は、釣糸案内部に釣糸を誘導する釣糸巻き取り位置と、開口部２４に釣糸を誘導する釣糸放出位置と、の間で螺軸２１を中心として揺動可能に軸支されている構成とした。【選択図】図１
2014027906.tif 000002
【特許請求の範囲】
【請求項１】
リール本体の左右側板間に回転自在に支持されたスプールと、
前記左右側板間に支持され、ハンドル軸の回転操作に連動して回転する螺軸と、
前記螺軸により前記左右側板間に往復動可能に設けられ、前記スプールに釣糸を平行に巻回する釣糸案内体と、前記釣糸案内体へ釣糸を誘導するためのピラーと、を備え、
前記釣糸案内体は、左右方向に幅狭に形成され、釣糸巻き取り状態において前記スプールに釣糸を案内する釣糸案内部と、前記釣糸案内部よりも左右方向に幅広に形成され、釣糸放出状態において釣糸の放出抵抗を軽減する開口部とを有しており、
前記ピラーは、
前記釣糸案内部に釣糸を誘導する釣糸巻き取り位置と、前記開口部に釣糸を誘導する釣糸放出位置と、の間で前記螺軸を中心として揺動可能に軸支されていることを特徴とする魚釣用リール。
【請求項２】
前記螺軸を覆うように前記左右側板間に架設され、前記釣糸案内体を前記螺軸に沿って往復動可能に案内する案内筒を備え、
前記案内筒は、前記螺軸周りに回動可能であり、
前記ピラーは、前記案内筒に支持されていることを特徴とする請求項１に記載の魚釣用リール。
【請求項３】
釣糸巻き取り状態と釣糸放出状態とに切り換え操作可能なクラッチ操作部を備え、
前記ピラーは、前記クラッチ操作部の切り換え操作に連動して揺動し、釣糸巻き取り状態で前記釣糸巻き取り位置に移動し、釣糸放出状態で前記釣糸放出位置に移動することを特徴とする請求項１または請求項２に記載の魚釣用リール。
【発明の詳細な説明】
【技術分野】
【０００１】
本発明は、魚釣用リールに関する。
【背景技術】
【０００２】
従来、魚釣用リールとして、スムーズな釣糸の放出および巻き取りを実現することができるものとして、特許文献１に開示されたものがある。
この魚釣用リールによれば、ラインガイドに設けられた釣糸挿通孔が、繰り出される釣糸の移動方向に沿う左右方向に横長形状とされており、釣糸放出時（クラッチＯＦＦ状態にしたときや、クラッチＯＮ状態でドラグフリー状態にしたとき）には、釣糸挿通孔内を釣糸が左右方向に繰り出し位置を変えながら通過することとなるので、釣糸挿通孔の内面と釣糸との接触抵抗（送出抵抗）が小さくなり、スムーズな釣糸の放出を実現することができる。
【先行技術文献】
【特許文献】
【０００３】
【特許文献１】特開２０１２−７０６８３号公報
【発明の概要】
【発明が解決しようとする課題】
【０００４】
ところで、特許文献１の魚釣用リールでは、クラッチの回転中心から釣糸を誘導するためのピラーまでの距離が比較的長く設定されており、操作性の向上や感度の向上を図るために、この距離を短くしたいという要望があった。
また、構成を簡素化するという観点から、ピラーが支持されているパーミングプレート（サムレスト）やフレームに貫通穴等を設けることなく、ピラーを設けたいという要望があった。
【０００５】
本発明は、前記課題を解決するためになされたものであり、操作性の向上や感度の向上を図ることができ、ピラーの支持構造の簡素化を図ることができる魚釣用リールを提供することを課題とする。
【課題を解決するための手段】
【０００６】
このような課題を解決する本発明の魚釣用リールは、リール本体の左右側板間に回転自在に支持されたスプールと、前記左右側板間に支持され、ハンドル軸の回転操作に連動して回転する螺軸と、前記螺軸により前記左右側板間に往復動可能に設けられ、前記スプールに釣糸を平行に巻回する釣糸案内体と、前記釣糸案内体へ釣糸を誘導するためのピラーと、を備え、前記釣糸案内体は、左右方向に幅狭に形成され、釣糸巻き取り状態において前記スプールに釣糸を案内する釣糸案内部と、前記釣糸案内部よりも左右方向に幅広に形成され、釣糸放出状態において釣糸の放出抵抗を軽減する開口部とを有しており、前記ピラーは、前記釣糸案内部に釣糸を誘導する釣糸巻き取り位置と、前記開口部に釣糸を誘導する釣糸放出位置と、の間で前記螺軸を中心として揺動可能に軸支されていることを特徴とするものである。
【０００７】
この魚釣用リールによれば、釣糸案内体の近傍において螺軸を中心として、ピラーを釣糸巻き取り位置と釣糸放出位置との間で揺動させることができる。そして、釣糸巻き取り時には、ピラーが釣糸巻き取り位置に揺動して釣糸案内部に釣糸が誘導され、釣糸は、釣糸案内部において左右方向の移動が規制された状態で位置決めされる。
また、釣糸放出時には、ピラーが釣糸放出位置に揺動して開口部に釣糸が誘導され、釣糸は、開口部内を左右方向に繰り出し位置を変えながら通過する。
【０００８】
また、前記螺軸を覆うように前記左右側板間に架設され、前記釣糸案内体を前記螺軸に沿って往復動可能に案内する案内筒を備え、前記案内筒は、前記螺軸周りに回動可能であり、前記ピラーは、前記案内筒に支持されていることを特徴とする。
【０００９】
この魚釣用リールによれば、ピラーは、左右側板間に架設された案内筒に支持され、案内筒の回動により螺軸周りに揺動して、釣糸巻き取り位置と釣糸放出位置とに移動する。
【００１０】
また、釣糸巻き取り状態と釣糸放出状態とに切り換え操作可能なクラッチ操作部を備え、前記ピラーは、前記クラッチ操作部の切り換え操作に連動して揺動し、釣糸巻き取り状態で前記釣糸巻き取り位置に移動し、釣糸放出状態で前記釣糸放出位置に移動することを特徴とする。
【００１１】
この魚釣用リールによれば、釣糸巻き取り状態へのクラッチ操作部の切り換え操作に連動して、釣糸巻き取り位置にピラーを移動させることができ、また、釣糸放出状態へのクラッチ操作部の切り換え操作に連動して、釣糸放出位置にピラーを移動させることができる。
【発明の効果】
【００１２】
本発明によれば、ピラーは、釣糸案内体が設けられる螺軸を中心として揺動するようになっており、釣糸案内体の近傍で釣糸巻き取り位置と釣糸放出位置とに移動することとなるので、回転中心（螺軸の中心）からの距離を短く設定することができる。したがって、その分、操作性の向上や感度の向上を図ることができ、ピラーの支持構造の簡素化を図ることができる魚釣用リールが得られる。
【００１３】
また、ピラーは、左右側板間に架設された案内筒に支持され、案内筒の回動により螺軸周りに揺動して、釣糸巻き取り位置と釣糸放出位置とに移動するようになっているので、案内筒を利用して簡単にピラーを設けることができ、支持構造の簡素化を図ることができる。また、案内筒に支持されてピラーが設けられているので、ピラーの剛性を高めることが可能である。このことは、操作性の向上や感度の向上に寄与する。
【００１４】
また、ピラーは、クラッチ操作部の切り換え操作に連動して揺動し、釣糸巻き取り状態で釣糸巻き取り位置に移動し、釣糸放出状態で前記釣糸放出位置に移動するので、釣糸放出（仕掛けの投入）から釣糸巻き取りまでの一連の操作をスムーズに行うことができ、操作性に優れ、釣果の向上を期待できる魚釣用リールが得られる。
【図面の簡単な説明】
【００１５】
【図１】本発明の一実施形態に係る魚釣用リールの構成を示す図であり、（ａ）はリール本体の内部構造を示す上面図、（ｂ）は釣糸案内体としてのラインガイドとピラーとを示す拡大斜視図である。
【図２】リール本体の要部を示す縦断面図（釣糸巻き取り状態）である。
【図３】クラッチ機構を示す説明図（釣糸巻き取り状態）である。
【図４】釣糸放出状態における各部の位置関係を示す説明図である。
【図５】釣糸放出状態におけるクラッチ機構の様子を示す説明図である。
【図６】左右フレームにおける螺軸の支持構造および筒状体に対するピラーの支持部材の取付構造を示す拡大断面図である。
【図７】変形例のラインガイドとピラーとを示す拡大斜視図である。
【発明を実施するための形態】
【００１６】
以下、本発明に係る魚釣用リールの実施形態について図面を参照しながら説明する。なお、以下の説明において、「前後」「左右」を言うときは、図１に示した方向を基準とする。なお、説明において、同一の要素には同一の符号を用い、重複する説明は省略する。
【００１７】
図１に示すように、魚釣用リールのリール本体１は、釣糸が巻回されるスプール５を回転可能に支持した左右側板２Ａ，２Ｂを備え、右側板２Ｂに設けた駆動機構１０と、スプール５の前方において、駆動機構１０のハンドル軸７ａの回転操作に連動して左右方向に往復動可能に設けられ、スプール５に釣糸を平行に巻回する釣糸案内体２２と、この釣糸案内体２２の後方に前後方向に揺動可能に配置され、釣糸案内体２２に釣糸を誘導するピラー３０と、を備えている。
ここで、リール本体１の「側板」は、スプール５の軸方向の両端に位置する部材であり、本実施形態では、各種部材が支持されるフレーム体を構成する左右フレーム２ａ，２ｂと、これら左右フレーム２ａ，２ｂに所定の空間をもって夫々装着される左右外側板（カバー体）３ａ，３ｂとから構成される。左右フレーム２ａ，２ｂと左右外側板３ａ，３ｂとの間には内部空間が形成され、この内部空間には、駆動機構１０、クラッチ機構５０（図３参照）、図示しないバックラッシュ防止機構７０（図１（ａ）参照）等が設置されるようになっている。なお、左右フレーム２ａ，２ｂと外側板３ａ，３ｂとの形状については、適宜変形することが可能であり、それらを構成する材料は適宜設定することができる。また、これらの装着方法や装着位置についても、リール本体１の構成等により、種々の方法を用いることが可能である。
【００１８】
左右フレーム２ａ，２ｂは、図示しない複数の支柱を介して一体化されており、図示しない下部の支柱には、釣竿のリールシート（不図示）に装着される釣竿取付脚１ｃが設けられている。
また、左右フレーム２ａ，２ｂ間には、図１に示すように、軸受５ａ，５ｂを介してスプール軸５ｃが回転可能に支持されており、このスプール軸５ｃにスプール５が取り付けられている。
スプール５は、ハンドル７を回転操作することによって回転させることができるように構成されており、ハンドル７は、外側板３ｂから突出したハンドル軸７ａの端部に取り付けられ、外側板３ｂとの間に介在された逆転防止機構７ｂ（転がり式一方向クラッチ）によって、釣糸巻き取り方向にのみ回転可能となっている。
なお、スプール軸５ｃを回転可能に支持する軸受５ａ，５ｂは、左右フレーム２ａ，２ｂの部分に配設されていてもよいし、外側板３ａ，３ｂの部分に配設されていてもよい。
【００１９】
右フレーム２ｂと外側板３ｂとの間には、ハンドル７の回転運動をスプール軸５ｃ、および後記するレベルワインド機構２０の螺軸２１に伝達する駆動機構１０、駆動力の伝達を継脱するクラッチ機構５０（図３参照）のほか、魚釣時にスプール５から釣糸が繰り出された際に、スプール５にドラグ力を付与するドラグ機構６０等が収容されている。
【００２０】
駆動機構１０は、公知のように、ハンドル軸７ａに回転可能に支持された駆動歯車１１と、この駆動歯車１１に噛合するピニオン１２とを備えている。ピニオン１２は、スプール軸５ｃと同軸上に設置されており、ピニオン軸１２ｃに沿って軸方向に移動可能となっている。また、ピニオン１２の外周には、円周溝１２ａが形成されており、この円周溝１２ａに、クラッチ機構５０のヨーク５４（図３参照）が係合して、ピニオン１２を軸方向に移動させるようになっている。すなわち、ピニオン１２が軸方向に移動することで、スプール軸５ｃとの間で継脱がなされ、釣糸巻き取り状態（動力伝達状態、クラッチＯＮ状態／釣糸放出状態（動力遮断状態、クラッチＯＦＦ状態）に切り換えられるようになっている。
【００２１】
スプール５の前方において、リール本体１の左右側板２Ａ，２Ｂ間には、レベルワインド機構２０が配置されている。レベルワインド機構２０は、駆動機構１０を介して回転駆動される螺軸２１と、螺軸２１に装着されて左右方向に往復動可能に設けられた釣糸案内体２２と、螺軸２１を覆う案内筒としての筒状体２１５とを備えている。筒状体２１５には、ピラー３０を支持する支持部材３１ａ，３１ｂ（図１（ｂ）参照）が取り付けられている。
【００２２】
螺軸２１は、左右側板２Ａ，２Ｂ間に回転可能に支持されており、駆動機構１０を介して回転駆動されるようになっている。
螺軸２１の左端部は、図６に示すように、円筒状の回転支持部材２１１を介して左フレーム２ａに回転可能に支持され、ワッシャー２１２および抜け止めリング２１３ａにより保持されている。回転支持部材２１１は、左フレーム２ａの内側に挿入される円筒状の挿入部２１４を有しており、この挿入部２１４の外周面２１４ａと筒状体２１５の左端部の内周面２１５ａとの間に支持部材３１ａの基端部３１ａ１が挟み込まれてこれらが一体に回り止め保持されている。
なお、回転支持部材２１１は、左フレーム２ａに固定された抜け止め部材２ａ１により、左フレーム２ａの側方へ抜けが防止された状態で保持されている。
【００２３】
螺軸２１の右端部は、図６に示すように、ベアリング２５および回動プレート２６を介して右フレーム２ｂに回転可能に支持されている。螺軸２１の右端部には、連動歯車２１ａが抜け止めリング２１３ｂを介して取り付けられている。この連動歯車２１ａには、図１に示すように、ハンドル軸７ａの駆動歯車１１に隣接して設けられた歯車１１ａが噛合している。これにより、ハンドル７を巻き取り回転操作すると、ハンドル軸７ａの回転が、歯車１１ａおよび連動歯車２１ａを通じて螺軸２１に伝わり、螺軸２１が回転駆動される。
【００２４】
図６に示すように、回動プレート２６は、右フレーム２ｂに支持される円筒状の基部２６ａと、基部２６ａから後方へ向けて延出する延出部２６ｂとを備えている。基部２６ａは、右フレーム２ｂの内側に挿入される円筒状の挿入部２１６を有しており、この挿入部２１６の外周面２１６ｂと筒状体２１５の右端部の内周面２１５ｂとの間に支持部材３１ｂの基端部３１ｂ１が挟み込まれてこれらが一体に回り止め保持されている。
回り止め保持の構造は、例えば、図３に示すように、基端部３１ｂ１の周部に突部３１ｂ２を設け、この突部３１ｂ２が係合する凹部２１５ｂを筒状体２１５の対向部に設けるものが挙げられる。なお、支持部材３１ａの基端部３１ａ１側の構造も同様とすることができる。
延出部２６ｂは、延出部２６ｂの長手方向に沿う長孔２６ｃを有している（図３参照）。この長孔２６ｃには、図３に示すように、クラッチ機構５０の腕部５１ａに設けられたピン５１ｂが係合している。したがって、クラッチ機構５０の腕部５１ａが後記するように回動すると、その動きがピン５１ｂを介して延出部２６ｂに伝わり、腕部５１ａの回動方向に延出部２６ｂが回動する。これにより回動プレート２６が回動し、この回動に連動して筒状体２１５および支持部材３１ａ，３１ｂが一体的に揺動する（図１（ｂ）参照）。
【００２５】
螺軸２１の外周面には、図１（ａ）に示すように、螺旋溝２１ｂが形成されており、この螺旋溝２１ｂには、釣糸案内体２２に設けられたナット２７で抜け止めされた係合部２７ｃ（図２参照、以下同じ）が係合している。
【００２６】
筒状体２１５は、図２に示すように、断面Ｃ字形状を呈して軸方向に延出する開口２５ｂを有している。この開口２５ｂを通じて螺旋溝２１ｂが部分的に前方に露出し、この露出した螺旋溝２１ｂに係合部２７ｃが係合している。なお、開口２５ｂは、筒状体２１５が回動した際に係合部２７ｃに干渉することのない大きさ（開口）を有して形成されている。
【００２７】
釣糸案内体２２は、樹脂で形成され、左右側板２Ａ，２Ｂ間において、螺軸２１と平行に設けられたガイド軸２２ａ（図２参照）に回り止め支持されている。釣糸案内体２２の下部は、筒状体２１５を囲繞するようにしてこれに保持されている。そして、釣糸案内体２２の下部には、螺軸２１の螺旋溝２１ｂと係合する係合部２７ｃが配置されている。なお、係合部２７ｃは、ナット２７によって釣糸案内体２２に抜け止め支持されている。
これにより、釣糸案内体２２は、螺軸２１が連動歯車２１ａ（図１（ａ）参照）によって回転駆動されることで、螺旋溝２１ｂに係合する係合部２７ｃを介してガイド軸２２ａに沿って左右往復動するようになっている。
【００２８】
釣糸案内体２２の上部には、釣糸を案内するためのラインガイド２３が一体的に設けられている。ラインガイド２３は、図１（ｂ）に示すように、螺軸２１に沿うようにして左右方向に横長形状とされており、釣糸案内体２２の左右方向に二又に延びる延設部２３ａ，２３ａと、この延設部２３ａ，２３ａの左右端部から上方へ向けて立ち上げられた左側部２３ｂ，右側部２３ｃと、左側部２３ｂと右側部２３ｃとをつなぐ上部２３ｄとを備えている。つまり、ラインガイド２３は、その内側に、左右方向に横長とされた釣糸放出空間（開口部２４）を有している。
【００２９】
延設部２３ａ，２３ａの上面（釣糸案内面２４ｃ）は、左右方向の中央部２４ｃ’に向けて緩やかに直線状に下る傾斜面（凹凸のない面）とされている。
ここで、延設部２３ａ，２３ａの釣糸案内面２４ｃの傾斜角度は、水平面に対して１〜３０度の範囲に設定されるのが好ましく、より好ましくは、５〜１５度の範囲に設定されるのがよい。
また、釣糸案内面２４ｃは、前後方向にも直線状（凹凸のない面）に形成されている。
左側部２３ｂ，右側部２３ｃは、上方へ向けて鉛直に立ち上げられている。
なお、延設部２３ａ，２３ａと左側部２３ｂ，右側部２３ｃとの角部、および左側部２３ｂ，右側部２３ｃと上部２３ｄとの角部は、いずれもアール状とされている。
なお、釣糸案内面２４ｃは、左右方向に直線状とされたものに限られることはなく、左右方向に湾曲状（湾曲凸条、湾曲凹状）、左右方向に複数の直線を組み合わせた形状、さらに、左右方向に直線と曲線とを組み合わせた形状等、種々採用することができる。
また、釣糸案内面２４ｃは、必ずしも前後方向に直線状を有しなくてもよいが、本実施形態のように、直線状として前後方向に奥行きをもたせることで、よりスムーズに釣糸Ｌを中央部２４ｃ’に導くことが可能となる。
【００３０】
図１（ｂ）に示すように、延設部２３ａ，２３ａの中央部２４ｃ’には、釣糸巻き取り時に釣糸Ｌを位置決め保持する釣糸案内部としての釣糸案内溝２４ｄが形成されている。釣糸案内溝２４ｄは、中央部２４ｃ’から下方へ向けて湾曲凹状に切り欠かれた溝であり、中央部２４ｃ’の前後方向に亘って延設されている。釣糸案内溝２４ｄ内には、釣糸放出状態（図４，図５参照）から釣糸巻き取り状態（図２，図３参照）にされた際に、ピラー３０に押し下げられて中央部２４ｃ’に向けて誘導される釣糸Ｌが挿入されるようになっている（図２参照）。
【００３１】
ピラー３０は、円柱状の棒状部材である。ピラー３０は、図１（ａ）（ｂ）、図２，図３に示すように、両端部を支持部材３１ａ，３１ｂによって支持されており、螺軸２１を中心として上下方向の移動を伴いつつ前後方向に揺動可能に設けられている（図２〜図４参照）。ピラー３０は、スプール５とラインガイド２３との間に配置されており、ラインガイド２３との間で釣糸Ｌを保持する。
なお、ピラー３０は、円柱状の棒状部材とされたものに限られることはなく、釣糸Ｌを押し下げ可能な板状としてもよい。また、釣糸案内部３１としては、左右方向に直線状とされたものに限られることはなく、左右方向に傾斜する直線状、湾曲状（湾曲凸条、湾曲凹状）、左右方向に複数の角度の直線を例えば連続して組み合わせた形状、左右方向に直線と曲線とを組み合わせた形状等としてもよい。
【００３２】
このようなピラー３０は、クラッチ機構５０（図３参照）により、スプール５に対する釣糸Ｌの巻き取りを可能にするクラッチＯＮ状態（釣糸巻き取り状態）で後下方向に移動する（ラインガイド２３と相対的に離れる方向に移動する）ようになっており、その際に、ラインガイド２３の内側に挿通された釣糸Ｌを中央部２４ｃ’に誘導し、当該中央部２４ｃ’（釣糸案内溝２４ｄ、釣糸巻き取り位置）に釣糸Ｌを巻き取り可能に位置決め保持する。
また、ピラー３０は、スプール５から釣糸Ｌの繰り出しを可能にするクラッチＯＦＦ状態（釣糸放出状態）で、前上方向に移動する（ラインガイド２３と相対的に近付く方向に移動する）ようになっており、その際に釣糸巻き取り位置から退避して、釣糸Ｌの位置決め保持を解除する釣糸放出位置に移動する。
【００３３】
なお、ピラー３０は、支持部材３１ａ，３１ｂに対して軸回りに回転可能に構成してもよい。このように構成することによって、釣糸巻き取り状態における巻き取り抵抗および釣糸放出状態における放出抵抗が低減される。
【００３４】
クラッチ機構５０は、図３に示すように、右フレーム２ｂに対して回動可能に支持されたクラッチプレート５１を備えている。クラッチプレート５１は、振り分けバネ５２によって、図３に示す動力伝達状態（クラッチＯＮ状態）と、図５に示す動力遮断状態（クラッチＯＦＦ状態）に振り分け保持されるようになっている。クラッチプレート５１は、右フレーム２ｂに上下方向に形成された連結孔２ｄを介してクラッチレバー５３と連結されており、クラッチプレート５１に形成された長孔５１ｅに、右フレーム２ｂに突出するように設けられたピン２ｅが挿入されて、その回動駆動が案内されるようになっている。
【００３５】
クラッチプレート５１の表面には、ピニオン１２の円周溝１２ａ（図１参照）に係合したヨーク５４と係合可能な一対のカム面５４ａ，５４ａ形成されている。ヨーク５４の先端側は、右フレーム２ｂに突設された支持ピン５５，５５によって保持されており、ヨーク５４は、各支持ピン５５，５５に配設されたバネ部材（図示せず）によって常時、クラッチプレート５１側に付勢された状態となっている。なお、図３では、ヨーク５４がバネ部材によってクラッチプレート５１側に付勢された状態を示しており、このとき、ピニオン１２はスプール軸５ｃ（図１参照）の端部に形成されている係合部に嵌合してクラッチＯＮ状態となっている。
【００３６】
図３に示すように、クラッチプレート５１の前部には、前方へ向けて延設された腕部５１ａが一体的に設けられており、この腕部５１ａの先端部に、ピン５１ｂが設けられている。ピン５１ｂは、回動プレート２６の延出部２６ｂに設けられた長孔２６ｃに係合している。
【００３７】
クラッチプレート５１は、クラッチレバー５３が、図４，図５に示すように押し下げ操作されると反時計回り方向に回動され、カム面５４ａおよびヨーク５４を介して、ピニオン１２をスプール軸５ｃの端部に形成されている係合部から離脱させ、クラッチＯＦＦ状態に切り換える。なお、この状態は、振り分けバネ５２によって保持される。
また、このようなクラッチレバー５３の押し下げ操作によって、クラッチプレート５１が図中反時計回り方向に回動されると、図５に示すように、腕部５１ａの先端部が上方向に移動し、これによって、ピラー３０が前上方向に移動して釣糸放出位置に配置される。
【００３８】
このように、釣糸巻き取り位置から釣糸放出位置にピラー３０が移動して退避される過程で、釣糸案内溝２４ｄ内における釣糸Ｌの位置決め保持が解除され、ラインガイド２３内の上部の横長のスペースに釣糸Ｌが移動することとなる。したがって、釣糸が挿通される開口部２４の左右開口の範囲内で釣糸Ｌが放出可能となり、スムーズな釣糸Ｌの放出を行うことができる。また、放出時に釣糸Ｌが暴れてもこれを好適に抑えることができ、糸絡み等のトラブルの発生率を好適に低減することができる。
【００３９】
また、クラッチプレート５１には、クラッチの状態をＯＦＦ状態からＯＮ状態にする自動復帰機構５６が設けられている。この自動復帰機構５６は、クラッチプレート５１に一体的に設けられるキック部材５６ａと、ハンドル軸７ａに回り止め固定されるラチェット５７とを備えている。キック部材５６ａは、クラッチＯＮ状態からクラッチＯＦＦ状態に切り換えられると、図５に示すように、ラチェット５７の回動軌跡内に侵入するように配置、構成されている。このため、クラッチＯＦＦ状態において、ハンドル８（図１参照）を巻き取り操作すると、ラチェット５７の回転により、キック部材５６ａがキックされ、自動的にクラッチプレート５１をクラッチＯＮ状態の位置に復帰させて、振り分けバネ５２のバネ力で保持される。
【００４０】
このような復帰によって、クラッチプレート５１が図中時計回り方向に回動されると、図３に示すように、腕部５１ａの先端部が下方向に移動し、これによって、ピラー３０が後下方向に移動して釣糸巻き取り位置に配置される。
このようにピラー３０が移動する過程で、図２に示すように、釣糸Ｌがピラー３０により押し下げられ、その際に、釣糸Ｌは、ラインガイド２３の延設部２３ａ，２３ａの釣糸案内面２４ｃに沿って中央部２４ｃ’ （いずれも図１（ｂ）参照）に向けて移動する。そして、ピラー３０が釣糸巻き取り位置まで移動されることで、釣糸案内溝２４ｄ内に釣糸Ｌが誘導される。これによって、ラインガイド２３とピラー３０とに保持されるようにして、釣糸Ｌは釣糸案内溝２４ｄ内に好適に位置決め保持（巻き取り可能に保持）される。
なお、クラッチの復帰は、クラッチレバー５３を押し上げ操作しても行うことが可能である。
【００４１】
なお、釣糸案内溝２４ｄ内に釣糸Ｌが位置決め保持された状態で、釣糸Ｌには、ピラー３０による押圧でテンションが付与される。したがって、釣糸巻き取り時には、ピラー３０で押さえられて釣糸Ｌが暴れ難くなり、これによって、釣糸案内溝２４ｄ内から釣糸Ｌが外れ難くなる。
そして、釣糸巻き取り時には、ハンドル７の巻き取り回転操作により、ラインガイド２３が左右方向に往復移動し、ラインガイド２３の釣糸案内溝２４ｄに位置決め保持（巻き取り可能に保持）された釣糸Ｌが、ピラー３０を介してスプール５に略平行に巻回される。
【００４２】
以上説明した本実施形態の魚釣用リールによれば、ピラー３０は、釣糸案内体２２が設けられる螺軸２１を中心として揺動するようになっており、釣糸案内体２２の近傍で釣糸巻き取り位置と釣糸放出位置とに移動することとなるので、回転中心（螺軸２１の中心）からの距離を短く設定することができる。したがって、その分、操作性の向上や感度の向上を図ることができるとともに、ピラー３０の支持構造の簡素化を図ることができる。
また、ピラー３０は、回転中心（螺軸２１の中心）からの距離を短く設定することができるので、例えば、釣糸巻き取り時の釣糸Ｌのテンションを受けた場合にも偏倚し難く（撓み難く）なり、釣糸案内溝２４ｄ内にから釣糸Ｌが抜ける等の不具合を生じ難くなる。したがって、釣糸Ｌの巻き取り精度が向上し、スプール５への糸巻き状態が良好となる。
【００４３】
また、ピラー３０は、左右側板２Ａ，２Ｂ間に架設された筒状体２１５に支持され、筒状体２１５の回動により螺軸２１周りに揺動して、釣糸巻き取り位置と釣糸放出位置とに移動するようになっているので、筒状体２１５を利用して簡単にピラー３０を設けることができ、支持構造の簡素化を図ることができる。また、筒状体２１５に支持されてピラー３０が設けられているので、ピラー３０の剛性を高めることが可能である。このことは、操作性の向上や感度の向上に寄与する。釣糸案内溝２４ｄ内にから釣糸Ｌが抜ける等の不具合防止に寄与する。
【００４４】
また、ピラー３０は、クラッチレバー５３の切り換え操作に連動して揺動し、釣糸巻き取り状態において釣糸巻き取り位置に移動し、釣糸放出状態において釣糸放出位置に移動するので、釣糸放出（仕掛けの投入）から釣糸巻き取りまでの一連の操作をスムーズに行うことができ、操作性に優れ、釣果の向上を期待できる魚釣用リールが得られる。
【００４５】
また、左右側板２Ａ，２Ｂに、ピラー３０の移動をガイドするための貫通窓孔等を設ける必要がないので、海水が貫通窓孔を通過して浸入するリスクもなくなる。
【００４６】
図７は変形例のラインガイドとピラーとを示す拡大斜視図である。この変形例では、ピラー３０の支持部材３１ａ，３１ｂが筒状体２１５を介さずに、螺軸２１の両端部分に回転可能に支持された構成となっている。支持部材３１ｂは、回動プレート２６（図６参照）に連結されており、回動プレート２６の回動により支持部材３１ｂを介してピラー３０が揺動するように構成されている。
【００４７】
このような構成とすることにより、前記実施形態に比べて、支持部材３１ａ，３１ｂの支持構造をより簡素化することができ、組付工数の低減、生産性の向上を図ることができる。
なお、支持部材３１ａ，３１ｂの支持構造は、回動プレート２６の回動が支持部材３１ｂに対して伝わる構造のものであればよく、種々の構造を採用することができる。
【００４８】
なお、前記実施形態では、釣糸が挿通される開口部２４の中央部２４ｃ’に釣糸案内溝２４ｄを設けたが、釣糸案内溝２４ｄは必ずしも設けなくてもよく、中央部２４ｃ’の谷部によって釣糸Ｌが位置決め保持されるようにしてもよい。
【００４９】
また、支持部材３１ａ，３１ｂの形状や長さ、さらにはピラー３０の位置は、リール本体１の大きさ、スプール５および釣糸案内体２２の配置関係を考慮して適宜設定される。
【００５０】
また、ピラー３０は棒状としたが、枠状として、その枠内に釣糸Ｌが挿通されるものであってもよい。
【００５１】
また、各実施形態において、釣糸放出時にラインガイド２３は、左右方向に静止状態であるが、スプール５の回転と連動させて、左右往復動させてもよく、この場合にも、釣糸放出時の抵抗を減少させることができる。
【符号の説明】
【００５２】
１      リール本体
２Ａ    左側板
２Ｂ    右側板
５      スプール
７ａ    ハンドル軸
２１    螺軸
２２    釣糸案内体
２４ｄ  釣糸案内溝（釣糸案内部）
２４    開口部
３０    ピラー
５３    クラッチレバー（クラッチ操作部）
２１５  筒状体（案内筒）
Ｌ      釣糸
【図１】
2014027906.tif 000003
【図２】
2014027906.tif 000004
【図３】
2014027906.tif 000005
【図４】
2014027906.tif 000006
【図５】
2014027906.tif 000007
【図６】
2014027906.tif 000008
【図７】
2014027906.tif 000009